(57)【要約】      （修正有）【課題】コストを従来よりも安価に、かつ織物の質感を低下させず、鮮明な染色された織物であって、特に大きなサイズに適した織物を提供する。【解決手段】片面又は両面に染色された織物１００であって、前記織物１００の少なくとも一方の面がガーゼ織面１０であり、かつ該ガーゼ織面１０に昇華転写塗料２０が転写されている。また、ガーゼ織面１０のもう一方の面に、単数本又は複数本のパイル状の化学繊維３０が露出している。【選択図】図１
0003223165.tif 000002
【実用新案登録請求の範囲】
【請求項１】
片面又は両面に染色された織物であって、
前記織物の少なくとも一方の面がガーゼ織面であり、かつ該ガーゼ織面に昇華転写塗料又はインジェクト塗料が転写されていることを特徴とする織物。
【請求項２】
前記ガーゼ織面は、化学繊維であることを特徴とする請求項１に記載の織物。
【請求項３】
前記ガーゼ織面のもう一方の面が、単数本又は複数本のパイル状の化学繊維が露出していることを特徴とする請求項１又は２に記載の織物。
【請求項４】
ガーゼ織面と同一面に、単数本又は複数本のパイル状の繊維が露出していることを特徴とする請求項１又は２に記載の織物。
【請求項５】
前記織物は両面に染色されていることを特徴とする請求項１〜４のいずれか１項に記載の織物。
【請求項６】
前記パイル状の化学繊維の先端は、切断されていることを特徴とする請求項３又は４に記載の織物。
【請求項７】
前記ガーゼ織面又は前記パイル状の化学繊維は、ポリエステル又は吸収ポリエステルであることを特徴とする請求項３又は４に記載の織物。
【請求項８】
前記織物は、タオルであることを特徴とする請求項１〜７のいずれか１項に記載の織物。
【請求項９】
前記織物は、タオルケット、ブランケット又はビーチタオルであることを特徴とする請求項１〜８のいずれか１項に記載の織物。
【請求項１０】
前記ガーゼ織面の経糸及び緯糸の密度が１インチあたり、それぞれ２４〜４８本であることを特徴とする請求項１〜９のいずれか１項に記載の織物。
【請求項１１】
前記昇華転写塗料又はインジェクト塗料に換えて顔料又は染料が付着していることを特徴とする請求項１〜１０のいずれか１項に記載の織物。
【考案の詳細な説明】
【技術分野】
【０００１】
本考案は、染色された織物に関する。
【背景技術】
【０００２】
従来タオルなどの繊維質の織物に多色の染色を施すときには、一般にインクジェットにより塗料を塗布させ染色していた。
【０００３】
例えば、特許文献１では、布帛素材に、水溶性金属塩類から選択される１種または２種以上の凝集成分と、水溶性高分子および水不溶性親水性高分子から選択される１種または２種以上の親水性成分と、撥水剤およびワックス剤から選択される１種または２種以上の疎水性成分とが含有されてなるインクジェット染色用布帛が記載されている。
【０００４】
また、特許文献２では、布帛の裏面側の組織内部に、水不透性の合成樹脂層が形成されてなるインクジェット染色用布帛が記載されている。
【先行技術文献】
【特許文献】
【０００５】
【特許文献１】特開平１１−２６９７８３号公報
【特許文献２】特開平１０−５３９７４号公報
【考案の概要】
【考案が解決しようとする課題】
【０００６】
しかしながら、上記のインジェクタによる染色では、まず織物に前処理を施さなければならず、塗料によっては後処理も必要である。また、前処理を行うことができる工場は限られており、さらに前処理を施した後は、高温多湿等を避け、ある程度の温度や湿度を調整しなければならなかった。よって、上記の方法では、製造コストが高くなっていた。さらに、染色の色を鮮明にするためには、染色面の繊維密度を高くする必要があり、係る場合には繊維が固くなり、特にタオルなどは肌触り等の質感を求められる織物には適していなかった。
【０００７】
また、織物をパイル状に織ってのみ、仕上げることも考えられるが、それではその織物の全体重量が重く、特に大きなサイズの織物には不向きであった。
【０００８】
そこで上記従来技術が有する問題に鑑み、コストを従来よりも安価に、かつ織物の質感を低下させず、鮮明な染色された織物を提供することを目的とする。また、特に大きなサイズに適した織物を提供することを目的とする。
【課題を解決するための手段】
【０００９】
本考案の一態様に係る織物は、片面又は両面に染色された織物であって、前記織物の少なくとも一方の面がガーゼ織面であり、かつ該ガーゼ織面に昇華転写塗料又はインジェクト塗料が転写されていることを特徴とする。
【００１０】
このようにすれば、コストを従来よりも安価に、かつ織物の質感を低下させず、鮮明な染色された織物を提供することができる。また、特に大きなサイズに適した織物を提供することができる。
【００１１】
このとき、本考案の一態様では、前記ガーゼ織面は、化学繊維としてもよい。
【００１２】
このようにすれば、さらに織物の質感を低下させず、より鮮明に染色することができ、特に大きなサイズに適した織物を提供することができる。
【００１３】
このとき、本考案の一態様では、前記ガーゼ織面のもう一方の面が、単数本又は複数本のパイル状の化学繊維が露出してもよい。
【００１４】
このようにすれば、パイル状の織物と組み合わせることができ、織物の質感をさらに向上させることができる。
【００１５】
このとき、本考案の一態様では、ガーゼ織面と同一面に、単数本又は複数本のパイル状の繊維が露出してもよい。
【００１６】
このようにすれば、パイル状の繊維はガーゼ織面よりも高さを有するので、織物が立体的となる。
【００１７】
このとき、本考案の一態様では、前記織物は両面に染色されてもよい。
【００１８】
このようにすれば、両面に染色された織物とすることができる。
【００１９】
このとき、本考案の一態様では、前記ガーゼ織面又は前記パイル状の化学繊維は、ポリエステル又は吸収ポリエステルとしてもよい。
【００２０】
このようにすれば、吸水性を向上させることができる。
【００２１】
このとき、本考案の一態様では、前記ガーゼ織面の経糸及び緯糸の密度が１インチあたり、それぞれ２４〜４８本としてもよい。
【００２２】
このようにすれば、経糸及び緯糸の密度を適宜調整することができるので、所望のガーゼ織面の質感や特徴とすることができる。
【００２３】
このとき、本考案の一態様では、前記織物は、タオルとしてもよい。
【００２４】
このようにすれば、コストを従来よりも安価に、かつ織物の質感を低下させず、鮮明な染色されたタオルを提供することができる。また、特に大きなサイズに適したタオルを提供することができる。
【００２５】
このとき、本考案の一態様では、前記織物は、タオルケット、ブランケット又はビーチタオルとしてもよい。
【００２６】
このようにすれば、コストを従来よりも安価に、かつ織物の質感を低下させず、鮮明な染色されたタオルケット、ブランケット又はビーチタオルを提供することができる。また、特に大きなサイズに適したタオルケット、ブランケット又はビーチタオルを提供することができる。
【００２７】
このとき、本考案の一態様では、前記パイル状の化学繊維の先端は、切断されていることとしてもよい。
【００２８】
このようにすれば、さらに織物の質感を低下させず、より鮮明に染色することができる。
【００２９】
このとき、本考案の一態様では、前記昇華転写塗料又はインジェクト塗料に換えて顔料又は染料が付着してもよい。
【００３０】
このようにすれば、昇華転写による染色ばかりでなく、顔料又は染料による染色された織物とすることができる。
【考案の効果】
【００３１】
本考案によれば、コストを従来よりも安価に、かつ織物の質感を低下させず、鮮明な染色された織物を提供することができる。また、特に大きなサイズに適した織物を提供することができる。
【図面の簡単な説明】
【００３２】
【図１】図１は、本考案の一実施形態に係る織物を示す図である。
【図２】図２は、本考案の他の実施形態に係る織物の表面を示す概略図である。
【図３】図３は、ガーゼ織面を示す概略図である。
【図４】図４は、本考案の他の実施形態に係る織物の表面を示す概略図である。
【考案を実施するための形態】
【００３３】
以下に説明する本実施形態は、実用新案登録請求の範囲に記載された本考案の内容を不当に限定するものではなく、本考案の要旨を逸脱しない範囲で変更が可能である。また、本実施形態で説明される構成の全てが本考案の解決手段として必須であるとは限らない。本考案の一実施形態に係る織物について、図を用いながら下記に説明する。
【００３４】
本考案の一実施形態に係る織物１００は、図１に示すように、片面又は両面に染色がされ、上記織物１００の少なくとも一方の面がガーゼ織面１０であり、かつ当該ガーゼ織面１０に昇華転写塗料２０又はインジェクト塗料が転写されていることを特徴とする。転写塗料２０がガーゼ織面１０上に吸着、結合し、織物１００は染色される。このように、ガーゼ織面１０の表面を染色する。
【００３５】
昇華転写とは、転写紙という媒体を使用して染色するもので、織物など染色させたい媒体に、転写紙を貼り付けて熱及び圧力をかけ、転写紙上のインクなどの塗料を昇華させ、織物などの媒体に染色させる。本考案の一実施形態に係る織物１００に用いられる昇華転写及び転写紙は、公知のものが用いられ、その種類は特に限定はされない。インジェクト塗料とはインジェクトプリンタに用いられる塗料であり、公知のものが用いられ、その種類は特に限定はされない。
【００３６】
また、上記ガーゼ織面１０は、化学繊維であることが好ましい。このようにすれば、ガーゼ織面１０の化学繊維と昇華転写塗料２０との相性が良いので、昇華転写塗料２０をガーゼ織面１０の化学繊維の表面に容易に転写することができ、より鮮明な染色された織物とすることができる。
【００３７】
ガーゼ織面１０の化学繊維の例としては、天然繊維以外の繊維であり、例えば、ポリエステル、アクリル、ポリウレタン、ナイロン、アクリレート、ビニロン、ポリプロピレン、ポリ塩化ビニル、ポリエチレン、ビニリデン、アラミド、ポリアリレート、ポリ乳酸、アセテート、トリアセテートが用いられる。また、半合成繊維も適用可能であるが、昇華転写塗料２０との相性からすると、化学繊維が好ましい。パイル状の化学繊維３０の例としても上記と同様である。
【００３８】
上記の中でもガーゼ織面１０の化学繊維は、ポリエステル又はアクリルであることが好ましい。昇華転写塗料２０は化学合成有機物であるので、同じく化学合成有機物であるポリエステル又はアクリルと容易に吸着、結合するため、上記ガーゼ織面１０の化学繊維は、ポリエステル又はアクリルであることが好ましい。このようにすれば、昇華転写塗料２０が繊維表面に転写されやすくなり、より染色な織物とすることができる。
【００３９】
本考案の一実施形態に係る織物１００は、片面又は両面に染色がされ、上記織物１００の少なくとも一方の面がガーゼ織面１０であり、当該ガーゼ織面１０に昇華転写塗料２０が転写されている。このようにすれば下記の効果が得られる。
【００４０】
ガーゼ織面による織物は、図３に示すように経糸１５及び緯糸１６によって織られる平織りである。一方、平織りでないパイル状の織物は図１のように糸が立っている状態になる。昇華転写塗料の転写による染色は、ガーゼ織面やパイル状などの織物の素材の表面に塗料が転写付着することで施されるが、つまり、ガーゼ織面の方がパイル状の織物よりも表面積が大きい。図２を見るとその違いが顕著にわかる。図２に示す上部はガーゼ織面１０に昇華転写塗料２０が転写している様子で、下部はパイル状の化学繊維３０に昇華転写塗料２０が転写している様子である。このように、ガーゼ織面１０は平織りであるので表面積が大きく、昇華転写塗料２０がガーゼ織面１０上に多くのることができ、一方パイル状の化学繊維３０上は、その表面積が小さいため、昇華転写塗料２０がのる量が少ない。よって、昇華転写塗料２０の転写による染色において、ガーゼ織面の方がより鮮明に染色を施すことができる。さらに、パイル状に昇華転写塗料の転写による染色すると、パイルの糸の高さが高いので、糸の方向によって転写されず染色されていない部分の糸が目立ち、外観が変化する場合があるが、ガーゼ織面への昇華転写塗料の転写による染色は、上記の問題もなく、外観が変化することを防止し、より鮮明に染色を施すことができる。
【００４１】
また、パイル状の織物は、上述したように、パイルの糸の高さが高いので全体の体積が増え、織物の重量が増加してしまう。一方で、ガーゼ織面の織物は、平織りであるので、パイル状の織物よりも全体の体積を増加することがない。よって、ガーゼ織面の織物は、軽量化に優れるので、織物が大きなサイズになっても、重量感を与えない。従って、特に大きなサイズに適した織物とすることができる。
【００４２】
図１に示すように、上記織物１００のもう一方の面が、単数本又は複数本のパイル状の化学繊維３０が露出していることが好ましい。つまり、ガーゼ織面１０の反対側の面はパイル状の化学繊維３０となることが好ましい。このようにすれば、パイル状の織物と組み合わせることができ、織物の質感をさらに向上させることができる。
【００４３】
図１に示すパイル状の化学繊維３０は単数であるが、２本や３本など複数の化学繊維を一度に織り込みパイル状に織物１００表面に露出させても良い。パイル状の化学繊維３０の密度が高いほど、昇華転写塗料２０がより多く繊維表面に転写されるので、染色がより鮮明になる。一方で、パイル状の化学繊維３０の本数を増やしたり、パイル状の化学繊維３０を細かく編んで、織物１００の表面に露出させるパイル状の化学繊維３０の密度を上げすぎると、織物自体が固くなり、質感を低下させる場合がある。よって、パイル状の化学繊維３０は単数又は２〜３本が好ましい。また、経糸密度は１インチ間で２５本以上、緯糸密度１インチ間で４０本以上が好ましい。
【００４４】
また、織物１００は、タオルとしても良い。このようにすれば、コストを従来よりも安価に、かつ織物の質感を低下させず、鮮明な染色されたタオルを提供することができる。また、特に大きなサイズに適したタオルを提供することができる。タオルのサイズが大きくなればなるほど、より効果が大きい。
【００４５】
そこで、織物１００は、タオルケット、ブランケット又はビーチタオルであることが好ましい。このようにすれば、コストを従来よりも安価に、かつ織物の質感を低下させず、鮮明な染色されたタオルケット、ブランケット又はビーチタオルを提供することができる。また、特に大きなサイズに適したタオルケット、ブランケット又はビーチタオルを提供することができる。なお、本考案の一実施形態に係る織物１００、１５０は、タオルケット、ブランケット、ビーチタオル又はタオルに限定されない。
【００４６】
上記ガーゼ織面１０又は上記パイル状の化学繊維３０は吸収ポリエステルであることが好ましい。このようにすれば、吸水性を向上させることができる。
【００４７】
また、図２に示すように、上記パイル状の化学繊維の先端３５は、切断されていることが好ましい。このようにすれば、さらに織物１５０の質感を低下させず、より鮮明に染色することができる。これは、パイル状の化学繊維の先端３５を切断することで、昇華転写塗料２０がパイル状の化学繊維３０と吸着、結合する面積を増加させるので、当該パイル状の化学繊維３０上に塗料がより多く乗り、より鮮明に染色することができる。
【００４８】
上記パイル状の化学繊維の先端３５を切断するには、図１に示すパイル状の化学繊維３０をシャーリングし、パイル状の化学繊維の先端３５を切断することで、図２に示すような形状になる。また、シャーリング後かつ昇華転写前に一度洗浄することが好ましい。洗浄されたパイル状の化学繊維３０上に昇華転写塗料２０が転写されていることが好ましい。
【００４９】
洗浄されたパイル状の化学繊維３０上に昇華転写塗料２０が転写されることで、パイル状の化学繊維３０上のごみなどの異物を除去できるほか、パイル状の化学繊維３０がより垂直になることでその表面が平滑となり、昇華転写塗料２０が化学繊維上に均一に転写することができ、色むらを防いでより鮮明に染色することができる。
【００５０】
上記パイル状の化学繊維３０の好ましい高さは、２ｍｍ〜３ｍｍである。２ｍｍ未満であると柄は再現しやすくなるが、染色がされにくい場合がある。一方、３ｍｍを超えると、重量が増えたり、柄が乗った部分の糸の向きが変わりやすくなり、柄が鮮明でなくなる可能性がある。
【００５１】
上記パイル状の化学繊維３０は、複数の高さを有することが好ましい。高さを変えることで、一度の染色の作業により、染色する織物の面と染色しない織物の面を選択することができるので、織物のコストをより安価にすることができる。また、部分的に高さを変えることで、織物としての様々な質感を作り出すことができる。
【００５２】
上記昇華転写塗料２０又はインジェクト塗料に換えて顔料又は染料が付着していても良い。昇華転写による染色ばかりでなく、顔料又は染料による染色された織物とすることができる。
【００５３】
また、織物１００、１５０は、少なくとも一方の面がガーゼ織面１０であるが、ガーゼ織面１０は、図３に示すように経糸１５及び緯糸１６を編んでつくられている。
【００５４】
さらに、上記ガーゼ織面１０の経糸１５及び緯糸１６の密度が１インチあたり、それぞれ２４〜４８本であることが好ましい。このようにすれば、経糸１５及び緯糸１６の密度を適宜調整することができるので、所望のガーゼ織面１０の質感や特徴とすることができる。
【００５５】
上述したように、ガーゼ織面１０やパイル状の化学繊維３０に昇華転写塗料又はインジェクト塗料による染色を施しても良いが、ガーゼ織面１０の経糸１５又は緯糸１６やパイル状の化学繊維３０に染色してから、織っても良い。このようにすれば、１つの織物で昇華転写による染色部分、顔料による染色部分、染料による染色部分をつくることができ、それぞれの染色の特徴の良さを選択的に引き出すことができる。また、表裏で色を変えても良い。
【００５６】
図４に示すように、本考案の他の実施形態に係る織物２００は、ガーゼ織面１０と同一面に、単数本又は複数本のパイル状の繊維３１が露出していることが好ましい。ガーゼ織面１０は上述したように、経糸１５及び緯糸１６によって織られる平織りである。一方、平織りでないパイル状の織物は図１のように糸が立っている状態になる。よって、パイル状の繊維３１はガーゼ織面よりも高さを有するので、織物２００が立体的となる。また、ガーゼ織面１０と同一面に露出されたパイル状の繊維の毛は、ガーゼ織面１０よりも１〜２、３、４ｍｍ長くしても良い。このようにすればより立体感が生まれる。例えば、織物２００に染色により施された柄や絵により立体感が生まれる。パイル状の繊維３１は化学繊維や天然繊維を用いても良い。
【００５７】
また、織物１００、１５０、２００は両面に染色されても良い。このようにすれば、両面に染色された織物とすることができ、購買欲を惹起させる。
【００５８】
以上のように、本考案の一実施形態に係る織物によれば、コストを従来よりも安価に、かつ織物の質感を低下させず、鮮明な染色された織物を提供することができる。また、特に大きなサイズに適した織物を提供することができる。
【００５９】
なお、上記のように本考案の各実施形態について詳細に説明したが、本考案の新規事項及び効果から実体的に逸脱しない多くの変形が可能であることは、当業者には、容易に理解できるであろう。従って、このような変形例は、全て本考案の範囲に含まれるものとする。
【００６０】
例えば、明細書又は図面において、少なくとも一度、より広義又は同義な異なる用語と共に記載された用語は、明細書又は図面のいかなる箇所においても、その異なる用語に置き換えることができる。また織物の構成、動作も本考案の各実施形態及び各実施例で説明したものに限定されず、種々の変形実施が可能である。
【符号の説明】
【００６１】
１０  ガーゼ織面、１５  （ガーゼ織の）経糸、１６  （ガーゼ織の）緯糸、２０  昇華転写塗料、３０  パイル状の化学繊維、３１  パイル状の繊維、３５  パイル状の化学繊維の先端、
１００、１５０、２００  織物
【図１】
0003223165.tif 000003
【図２】
0003223165.tif 000004
【図３】
0003223165.tif 000005
【図４】
0003223165.tif 000006